(57)【要約】【課題】被写体に適した動画の音声を記録すること。【解決手段】デジタルカメラは、被写体像を撮像する撮像部１２と、集音する集音部１５と、撮像部１２により撮像する被写体を判定する判定部１４ｂと、集音部１５により集音される音声の周波数特性を、判定部１４ｂによる判定結果に基づいて変更する変更部１４ｄと、変更部１４ｄにより周波数特性が変更された音声を、撮像部１２により撮像された動画の音声として記録部２０に記録する記録制御部１４と、を備える。【選択図】図１
2013207472.tif 000002
【特許請求の範囲】
【請求項１】
被写体像を撮像する撮像部と、
集音する集音部と、
前記撮像部により撮像する被写体を判定する判定部と、
前記集音部により集音される音声の周波数特性を、前記判定部による判定結果に基づいて変更する変更部と、
前記変更部により周波数特性が変更された音声を、前記撮像部により撮像された動画の音声として記録部に記録する記録制御部と、
を備えることを特徴とするデジタルカメラ。
【請求項２】
請求項１に記載のデジタルカメラにおいて、
前記判定部は、前記動画の撮像中、所定間隔ごとに前記判定を行い、
前記変更部は、前記判定結果に基づいて前記音声の周波数特性を逐次変更することを特徴とするデジタルカメラ。
【請求項３】
請求項１または２に記載のデジタルカメラにおいて、
前記変更部は、前記判定部により被写体が人物であることが判定されると、前記音声の周波数特性を、人物の声に対応する周波数特性に変更することを特徴とするデジタルカメラ。
【請求項４】
請求項１〜３のいずれか一項に記載のデジタルカメラにおいて、
前記変更部は、前記判定部により被写体が子供であることが判定されると、前記音声の周波数特性を、子供の声に対応する周波数特性に変更することを特徴とするデジタルカメラ。
【請求項５】
請求項１〜４のいずれか一項に記載のデジタルカメラにおいて、
前記変更部は、前記判定部により被写体が風景であることが判定されると、前記音声の周波数特性を、風切音を低減する周波数特性に変更することを特徴とするデジタルカメラ。
【請求項６】
請求項１〜５のいずれか一項に記載のデジタルカメラにおいて、
動画の記録開始を指示する操作部材をさらに備え、
前記変更部は、前記操作部材により前記動画の記録開始が指示される前に、前記判定結果に基づいて前記音声の周波数特性を変更することを特徴とするデジタルカメラ。
【発明の詳細な説明】
【技術分野】
【０００１】
本発明は、デジタルカメラに関する。
【背景技術】
【０００２】
撮影前に設定された撮影シーンに応じてマイクの指向性を変更することにより、該撮影シーンに適した動画の音声を得るデジタルカメラが知られている（特許文献１参照）。
【先行技術文献】
【特許文献】
【０００３】
【特許文献１】特開２００２−１９９２７２号公報
【発明の概要】
【発明が解決しようとする課題】
【０００４】
動画の撮影時、被写体によって撮影者が記録したい音声は異なる。たとえば、子供を撮影している場合には子供の声を記録したいと考えられる。従来技術のように、マイクの指向性を変更することでは、被写体に適した音声の記録に対応できなかった。
【課題を解決するための手段】
【０００５】
本発明によるデジタルカメラは、被写体像を撮像する撮像部と、集音する集音部と、撮像部により撮像する被写体を判定する判定部と、集音部により集音される音声の周波数特性を、判定部による判定結果に基づいて変更する変更部と、変更部により周波数特性が変更された音声を、撮像部により撮像された動画の音声として記録部に記録する記録制御部と、を備えることを特徴とする。
【発明の効果】
【０００６】
本発明によれば、被写体に適した動画の音声を記録することができる。
【図面の簡単な説明】
【０００７】
【図１】本発明の実施の形態によるデジタルカメラの構成を例示する図である。
【図２】撮影処理の流れを説明するフローチャートである。
【発明を実施するための形態】
【０００８】
以下、図面を参照して本発明を実施するための形態について説明する。図１は、本発明の一実施の形態によるデジタルカメラの構成例を説明するブロック図である。図１において、デジタルカメラは、撮像光学系１１と、撮像素子１２と、フレームバッファメモリ１３と、ＣＰＵ１４と、マイク１５と、操作部材１６とを備える。
【０００９】
ＣＰＵ１４は、画像処理部１４ａと、シーン判定部１４ｂと、マイクアンプ１４ｃと、周波数特性変更部１４ｄと、ビデオ／オーディオエンコード部１４ｅとを含む。
【００１０】
撮像光学系１１は、ズームレンズやフォーカシングレンズを含む複数のレンズ群で構成され、被写体像を撮像素子１２の受光面に結像させる。なお、図１を簡単にするため、撮像光学系１１を単レンズとして図示している。
【００１１】
撮像素子１２は、ＣＭＯＳイメージセンサなどによって構成される。撮像素子１２は、被写体像を光電変換して画像信号を生成する。画像信号は、不図示のＡ／Ｄ変換部でデジタル信号に変換され、フレームバッファメモリ１３に一時記憶される。フレームバッファメモリ１３は、撮像した画像信号を蓄積しておき、蓄積した画像信号に対して順次画像処理および外部メモリ２０への記録を行えるように設けられている。
【００１２】
ＣＰＵ１４は、不図示のフラッシュメモリが記憶するプログラムを実行することにより、デジタルカメラの動作を制御する。画像処理部１４ａは、フレームバッファメモリ１３から読み出した画像信号に対して各種の画像処理（画素補間処理、階調変換処理、輪郭強調処理、ホワイトバランス調整処理、画像圧縮処理、画像伸張処理など）を施す。シーン判定部１４ｂは、スルー画の表示中や動画の撮影中などに、自動で撮影シーンを判定するシーン判定処理を行う。
【００１３】
マイクアンプ１４ｃは、マイク１５で集音した音声信号を増幅して、周波数特性変更部１４ｄに出力する。周波数特性変更部１４ｄは、ハイパスフィルタ、ローパスフィルタ、およびバンドパスフィルタを含む。周波数特性変更部１４ｄは、シーン判定部１４ｂによる判定結果に基づいて、マイクアンプ１４ｃから出力された音声信号の周波数特性を変更する（詳しくは後述する）。
【００１４】
ビデオ／オーディオエンコード部１４ｅは、画像処理部１４ａから出力された画像処理後の画像信号と、周波数特性変更部１４ｄから出力された周波数特性変更後の音声信号とを、それぞれ外部メモリ（たとえばメモリカード）２０に記録する際のデータエンコード処理を行う。ＣＰＵ１４は、データエンコード処理が行われた動画データおよび音声データを含む動画ファイルを外部メモリ２０に記録する。
【００１５】
操作部材１６は、不図示のレリーズボタン、動画ボタンなどを含む。操作部材１６は、各ボタンが押下されると、各ボタンに応じた操作信号をＣＰＵ１４へ送出する。
【００１６】
＜撮影処理＞
本実施形態は、動画撮影モードにおいて、上記シーン判定処理の結果に応じて動画録画時に録音する音声の周波数特性を変更する点に特徴を有するので、以降の説明はこの点を中心に行う。図２は、ＣＰＵ１４が実行する撮影処理の流れを説明するフローチャートである。ＣＰＵ１４は、動画撮影モードを開始すると、スルー画の取得を開始するとともに、図２に例示する処理を実行するプログラムを起動する。なお、スルー画は、撮影指示前に撮像素子１２によって所定のフレームレートで繰り返し取得されるモニタ用画像のことをいい、不図示のＬＣＤモニタに表示される。
【００１７】
図２のステップＳ１において、ＣＰＵ１４のシーン判定処理部１４ｂは、スルー画に基づいて所定間隔（たとえば数フレーム）ごとに撮影シーンを判定するシーン判定処理を行い、ステップＳ２へ進む。このシーン判定処理において判定される撮影シーンとしては、たとえば、被写体が人物である撮影シーン「ポートレート」、被写体が子供である撮影シーン「子供」、および被写体が風景である撮影シーン「風景」がある。すなわちシーン判定処理では、主要被写体を判定する。なお、本実施形態では、撮影シーンが「ポートレート」、「子供」および「風景」のいずれでもない場合には、撮影シーンを「ＡＵＴＯ」と判定する。撮影シーンの判定方法は、公知の方法を用いるものとする。たとえば、撮像光学系１１の焦点距離、スルー画から得られる輝度情報、およびスルー画に対する顔認識処理の結果などに基づいて撮影シーンを判定する。
【００１８】
ステップＳ２において、ＣＰＵ１４は、ステップＳ１のシーン判定結果に応じて撮影設定を切り替え、ステップＳ３へ進む。本実施形態では、撮影シーンに適した画像が得られるように、撮影シーンごとに、露出設定、ホワイトバランス設定およびＡＦ（オートフォーカス）設定などの撮影設定が予め定められている。ＣＰＵ１４は、たとえば、撮影シーンを「子供」と判定した場合には、顔認識処理によって認識された子供の顔にピントを合わせるように撮影設定を切り替える。
【００１９】
ステップＳ３において、ＣＰＵ１４は、周波数特性変更部１４ｄにおいて変更する周波数特性を、ステップＳ１のシーン判定結果に応じて切り替え、ステップＳ４へ進む。本実施形態では、撮影シーン（被写体）に適した音声が得られるように、撮影シーンごとに、音声の周波数特性が予め定められている。
【００２０】
周波数特性変更部１４ｄは、撮影シーンが「子供」の場合には、子供の声を強調するように音声の周波数特性を変更する。たとえば、一般的な子供の声の周波数である１ｋＨｚを中心に上下３００Ｈｚの周波数帯域のみを残し、これ以外の周波数帯域をカットする。
【００２１】
周波数特性変更部１４ｄは、撮影シーンが「ポートレート」の場合には、人物の声を強調するように音声の周波数特性を変更する。たとえば、一般的な人物全般の声を含む周波数帯域である０．１５〜１３ｋＨｚのみを残し、これ以外の周波数帯域をカットする。
【００２２】
周波数特性変更部１４ｄは、撮影シーンが「風景」の場合には、風切り音および高域音をカットするように音声の周波数特性を変更する。たとえば、一般的な風切り音の周波数帯域である５００Ｈｚ以下、および高域音である１５ｋＨｚ以上をカットする。なお、高域音をカットするのは、人の耳では聞き取れない高周波音を取り除き、余計な雑音を除去するためである。
【００２３】
周波数特性変更部１４ｄは、撮影シーンが「ＡＵＴＯ」の場合には、周波数特性が均一（フラット）となるように音声の周波数特性を変更する。
【００２４】
なお、ここでは、スルー画の表示中であり動画および音声の記録を開始していないため、マイク１５による集音は行われていないが、予め周波数特性変更部１４ｄにおいて撮影シーンに応じた周波数特性に切り替えておくことにより、動画の記録開始が指示された後すぐに、撮影シーンに適した周波数特性で音声の記録を開始することができる。
【００２５】
ステップＳ４において、ＣＰＵ１４は、操作部材１６の動画ボタンが押下されたか否かを判定する。ＣＰＵ１４は、動画ボタンからの操作信号を受けると動画の記録開始が指示されたと認識し、ステップＳ４を肯定判定してステップＳ５へ進む。ＣＰＵ１４は、動画ボタンからの操作信号を受けない場合には、ステップＳ４を否定判定してステップＳ１へ戻る。
【００２６】
ステップＳ５において、ＣＰＵ１４は、動画および音声の記録を開始して、ステップＳ６へ進む。具体的には、ステップＳ２で切り替えられた撮影設定（すなわちステップＳ１で判定された撮影シーンに応じた撮影設定）で撮影した動画を記録する。また、マイク１５により集音された音声信号を、ステップＳ３で切り替えられた周波数特性（すなわちステップＳ１で判定された撮影シーンに応じた周波数特性）に変更して記録する。
【００２７】
ステップＳ６において、ＣＰＵ１４のシーン判定部１４ｂは、動画の記録中においても所定間隔（たとえば数フレーム）ごとに上記シーン判定処理を行い、ステップＳ７へ進む。
【００２８】
ステップＳ７において、ＣＰＵ１４は、撮影シーンが変わったか否かを判定する。ＣＰＵ１４は、ステップＳ６で判定した撮影シーンが前回判定した撮影シーンと異なっていた場合には、ステップＳ７を肯定判定してステップＳ８へ進む。一方、ＣＰＵ１４は、ステップＳ６で判定した撮影シーンが前回判定した撮影シーンと同じである場合には、ステップＳ７を否定判定してステップＳ１０へ進む。
【００２９】
ステップＳ８において、ＣＰＵ１４は、ステップＳ６のシーン判定結果に応じて撮影設定を切り替え、ステップＳ９へ進む。この撮影設定の切り替えは、上述したステップＳ２の場合と同様である。これ以降、ステップＳ６で判定された撮影シーンに応じた撮影設定で撮影された動画が記録される。
【００３０】
ステップＳ９において、ＣＰＵ１４は、周波数特性変更部１４ｄにおいて周波数特性をステップＳ６のシーン判定結果に応じて切り替え、ステップＳ１０へ進む。この周波数特性の切り替えは、上述したステップＳ３の場合と同様である。これ以降、マイク１５により集音された音声信号が、ステップＳ６で判定された撮影シーンに応じた周波数特性に変更されて記録される。
【００３１】
一方、ステップＳ７を否定判定してステップＳ１０へ進む場合には、ＣＰＵ１４は、動画の撮影設定および音声の周波数特性の切り替えを行わない。
【００３２】
ステップＳ１０において、ＣＰＵ１４は、操作部材１６の動画ボタンが押下されたか否かを判定する。ＣＰＵ１４は、動画ボタンからの操作信号を受けると動画の記録終了が指示されたと認識し、ステップＳ１０を肯定判定してステップＳ１１へ進む。ステップＳ１１において、ＣＰＵ１４は、動画および音声の記録を終了し、図２による処理を終了する。一方、ＣＰＵ１４は、動画ボタンからの操作信号を受けない場合には、ステップＳ１０を否定判定してステップＳ６へ戻る。
【００３３】
以上説明した実施の形態によれば、次の作用効果が得られる。
（１）デジタルカメラは、被写体像を撮像する撮像素子１２と、集音するマイク１５と、撮像素子１２により撮像する被写体を判定するシーン判定部１４ｂと、マイク１５により集音される音声の周波数特性を、シーン判定部１４ｂによる判定結果に基づいて変更する周波数特性変更部１４ｄと、周波数特性変更部１４ｄにより周波数特性が変更された音声を、撮像素子１２により撮像された動画の音声として外部メモリ２０に記録するＣＰＵ１４と、を備えるので、被写体に適した動画の音声を記録することができる。
【００３４】
（２）上記（１）のデジタルカメラにおいて、シーン判定部１４ｂは、動画の撮像中、所定間隔ごとに判定を行い、周波数特性変更部１４ｄは、判定結果に基づいて音声の周波数特性を逐次変更するように構成したので、動画の途中で被写体が変わる場合であっても、動画の音声を被写体に適したものとすることができる。
【００３５】
（３）上記（１）または（２）のデジタルカメラにおいて、周波数特性変更部１４ｄは、シーン判定部１４ｂにより被写体が人物であることが判定されると、音声の周波数特性を、人物の声に対応する周波数特性に変更するように構成したので、子供の動画とともに、子供の声を強調した音声を記録できる。
【００３６】
（４）上記（１）〜（３）のデジタルカメラにおいて、周波数特性変更部１４ｄは、シーン判定部１４ｂにより被写体が子供であることが判定されると、音声の周波数特性を、子供の声に対応する周波数特性に変更するように構成したので、人物の動画とともに、人物の声を強調した音声を記録できる。
【００３７】
（５）上記（１）〜（４）のデジタルカメラにおいて、周波数特性変更部１４ｄは、シーン判定部１４ｂにより被写体が風景であることが判定されると、音声の周波数特性を、風切音を低減する周波数特性に変更するように構成したので、風景の動画とともに、風切音を低減した音声を記録できる。
【００３８】
（６）上記（１）〜（５）のデジタルカメラにおいて、動画の記録開始を指示する操作部材１６をさらに備え、周波数特性変更部１４ｄは、操作部材１６により動画の記録開始が指示される前に、シーン判定部１４ｂによる判定結果に基づいて音声の周波数特性を変更するように構成したので、動画の記録開始が指示されたあとすぐに、被写体に適した音声の記録を開始することができる。
【００３９】
（変形例１）
上述した実施の形態では、シーン判定処理において撮影シーンが「子供」、「ポートレート」、および「風景」である場合を判定するようにしたが、これに限らなくてもよい。たとえば撮影シーンが「ポートレート」である、すなわち被写体が「人物」である場合に、さらにその性別を判定するようにしてもよい。変形例１の周波数特性変更部１４ｄは、被写体が「男性」である場合には、一般的な男性の声を強調するように音声の周波数特性を変更し、被写体が「女性」である場合には、一般的な女性の声を強調するように音声の周波数特性を変更する。
【００４０】
（変形例２）
動画記録中に撮影シーンが変わった場合に、ＣＰＵ１４は、周波数特性変更部１４ｄで変更する周波数特性を、現在の周波数特性からステップＳ６で判定した撮影シーンに応じた周波数特性に徐々に変化させるようにしてもよい。これにより、動画の音声の周波数特性がフレーム間で急に変化して、再生時に視聴者に違和感を与えることを防止できる。
【００４１】
（変形例３）
上述した実施の形態では、スルー画の取得中にもシーン判定処理を行うようにしたが、必ずしもスルー画の取得中に行わなくてもよい。変形例３のＣＰＵ１４は、たとえば動画の記録が指示されると、直前に取得したスルー画に基づいて上記シーン判定処理を行い、判定結果に基づいて記録する音声の周波数特性を切り替える。
【００４２】
（変形例４）
上述した実施の形態では、マイク１５により集音した音声の周波数特性を周波数特性変更部１４ｄで変更するようにしたが、これに限らなくてもよい。たとえば、周波数特性の異なる複数のマイクを設け、使用するマイクをシーン判定結果に基づいて切り替えるようにしてもよい。
【００４３】
以上の説明はあくまで一例であり、上記の実施形態の構成に何ら限定されるものではない。また、上記実施形態に各変形例の構成を適宜組み合わせてもかまわない。
【符号の説明】
【００４４】
１１…撮像光学系
１２…撮像素子
１３…フレームバッファメモリ
１４…ＣＰＵ
１４ａ…画像処理部
１４ｂ…シーン判定部
１４ｃ…マイクアンプ
１４ｄ…周波数特性変更部
１４ｅ…ビデオ／オーディオエンコード部
１５…マイク
１６…操作部材
２０…外部メモリ
【図１】
2013207472.tif 000003
【図２】
2013207472.tif 000004